(57)【要約】【課題】メンテナンス性を維持しつつも、洗浄ノズル及び濯ぎノズルが誤った状態で組み付けられることを抑制できる洗浄機を提供する。【解決手段】食器洗浄機１は、下部中央開口３１ａから上部中央開口３１ｂに向かって挿入された軸部が上側ノズルヘッダ２２に接続されることによって、上側洗浄ノズル１２Ａが上側ノズルヘッダと上側ノズルナット４０との間に回転自在に挟持される。食器洗浄機は、下部中央開口３１ａと上部中央開口３１ｂとの間の内空部Ｓ１１に設けられ、貫通方向から見た平面視において軸部から外側に向かって延在する抜止部９１を備える。抜止部９１は、平面視において下部中央開口３１ａを形成するカラー部材３４ａよりも外側まで延在すると共に、上側ノズルナット４０に対し着脱可能に設けられている。【選択図】図３
2019080619.tif 000002
【特許請求の範囲】
【請求項１】
洗浄室に設けられるノズルヘッダと、第一開口部と第二開口部との間を貫通する貫通部及び前記貫通部の貫通方向に交差する方向に延在すると共に内空部が形成されたアーム部を有する洗浄ノズルと、前記貫通部を介して前記ノズルヘッダに接続される軸部を有するノズルナットと、前記ノズルナットに回転自在に装着される濯ぎノズルと、を備え、前記第一開口部から前記第二開口部に向かって挿入された前記軸部が前記ノズルヘッダに接続されることによって、前記洗浄ノズルが前記ノズルヘッダと前記ノズルナットとの間に回転自在に挟持される洗浄機において、
前記第一開口部と前記第二開口部との間の前記内空部に設けられ、前記貫通方向から見た平面視において前記軸部から外側に向かって延在する抜止部を備え、
前記抜止部は、前記平面視において前記第一開口部を形成する第一縁部よりも外側まで延在すると共に、前記ノズルナットに対し着脱可能に設けられている、洗浄機。
【請求項２】
前記抜止部は、前記貫通方向から見た平面視において円環状に形成されている、請求項１記載の洗浄機。
【請求項３】
前記第一開口部及び前記第二開口部は、前記平面視において円形に形成されており、
前記第一開口部の内径は、前記第二開口部の内径よりも小さく、前記抜止部の外径は、前記第一開口部の内径よりも大きく、前記第二開口部の内径よりも小さい、請求項２記載の洗浄機。
【請求項４】
前記抜止部は、前記第二開口部側に屈曲する内縁部によって筒部が形成されており、
前記筒部の内周面と前記内周面に対向する前記軸部の外周面とは、互いに螺合可能に形成されている、請求項２又は３記載の洗浄機。
【請求項５】
前記洗浄ノズルにおける前記内空部は、前記ノズルヘッダから前記第二開口部を介して水が供給されており、
前記抜止部の外縁部は、前記第二開口部側に屈曲している、請求項２〜４の何れか一項記載の洗浄機。
【請求項６】
前記貫通方向において前記洗浄ノズルが前記ノズルヘッダ側に移動して、前記第二開口部を形成する第二縁部が前記ノズルヘッダに接触するときは、前記第一縁部が前記抜止部に接触するように、前記抜止部が配置されている、請求項１〜５の何れか一項記載の洗浄機。
【請求項７】
前記貫通方向において前記洗浄ノズルが前記ノズルヘッダ側に移動して、前記第一縁部が前記抜止部に接触するとき、前記第二開口部を形成する第二縁部が前記ノズルヘッダに接触しないように、前記抜止部が配置されている、請求項１〜５の何れか一項記載の洗浄機。
【発明の詳細な説明】
【技術分野】
【０００１】
本発明は、ノズルヘッダに回転自在に支持された洗浄ノズル及び濯ぎノズルを備える洗浄機に関する。
【背景技術】
【０００２】
回転する洗浄ノズルから噴射される洗浄水によって食器を洗浄すると共に、回転する濯ぎノズルから噴射される濯ぎ水によって食器を濯ぐ食器洗浄機が知られている。例えば、特許文献１には、洗浄室の天井部及び床部のそれぞれに設けられるノズルヘッダに、洗浄ノズル及び濯ぎノズルが回転自在に支持されている食器洗浄機が開示されている。これらの洗浄ノズル及び濯ぎノズルは、上記ノズルヘッダに対して着脱可能に設けられている。
【先行技術文献】
【特許文献】
【０００３】
【特許文献１】特開２０１０−０００２９８号公報
【発明の概要】
【発明が解決しようとする課題】
【０００４】
上記従来の洗浄機では、メンテナンス等を考慮して、洗浄ノズル及び濯ぎノズルがそれぞれ別部品として分解可能に設けられている。また、このような洗浄機では、洗浄室の上下のそれぞれに洗浄ノズル及び濯ぎノズルが設けられている。このため、洗浄機から取り外された洗浄ノズル及び濯ぎノズルが再度組み付けられるときには、表裏を入れ違えた状態（噴射口の向きが上下逆となった状態）で取り付けられてしまったり、上下を入れ違えた状態（上下の洗浄ノズル、及び／又は、上下の濯ぎノズルが互いに反対となった状態）で取り付けられてしまったりするおそれがある。
【０００５】
そこで、本発明の目的は、メンテナンス性を維持しつつも、洗浄ノズル及び濯ぎノズルが誤った状態で組み付けられることを抑制できる洗浄機を提供することにある。
【課題を解決するための手段】
【０００６】
本発明の洗浄機は、洗浄室に設けられるノズルヘッダと、第一開口部と第二開口部との間を貫通する貫通部及び貫通部の貫通方向に交差する方向に延在すると共に内空部が形成されたアーム部を有する洗浄ノズルと、貫通部を介してノズルヘッダに接続される軸部を有するノズルナットと、ノズルナットに回転自在に装着される濯ぎノズルと、を備え、第一開口部から第二開口部に向かって挿入された軸部がノズルヘッダに接続されることによって、洗浄ノズルがノズルヘッダとノズルナットとの間に回転自在に挟持される洗浄機において、第一開口部と第二開口部との間の内空部に設けられ、貫通方向から見た平面視において軸部から外側に向かって延在する抜止部を備え、抜止部は、平面視において第一開口部を形成する第一縁部よりも外側まで延在すると共に、ノズルナットに対し着脱可能に設けられている。
【０００７】
この構成の洗浄機では、洗浄ノズルの貫通部に軸部が内挿されたノズルナットから洗浄ノズルが抜け出ることを規制する抜止部によって洗浄ノズルとノズルナットとが一体化されたユニットが構成される。洗浄機から取り外された洗浄ノズル及び濯ぎノズルをノズルヘッダに取り付けるときには、作業者は、上記ユニットに濯ぎノズルを正しい向きに取り付けた後、これらをノズルヘッダに取り付ければよい。これにより、洗浄ノズル、ノズルナット、及び濯ぎノズルを一つ一つノズルヘッダに組み付けていく場合に比べ、洗浄ノズル及び濯ぎノズルが誤った状態で組み付けられることを抑制できる。また、抜止部はノズルナットに対して着脱可能に設けられているので、必要に応じてノズルナットから抜止部を取り外せば、洗浄ノズルとノズルナットとを簡単に分離することができる。これにより、メンテナンス性も維持することができる。
【０００８】
本発明の洗浄機では、抜止部は、貫通方向から見た平面視において円環状に形成されていてもよい。この構成の洗浄機では、抜止部が第一開口部を形成する第一縁部を全体的に覆うので、ノズルヘッダから洗浄ノズルに供給された水が漏れ出ることを抑制できる。
【０００９】
本発明の洗浄機では、第一開口部及び第二開口部は、平面視において円形に形成されており、第一開口部の内径は、第二開口部の内径よりも小さく、抜止部の外径は、第一開口部の内径よりも大きく、第二開口部の内径よりも小さくてもよい。この構成の洗浄機では、ノズルナットの内空部に容易に抜止部を配置できるので、組立作業性を向上させることができる。
【００１０】
本発明の洗浄機では、抜止部は、第二開口部側に屈曲する内縁部によって筒部が形成されており、筒部の内周面と内周面に対向する軸部の外周面とは、互いに螺合可能に形成されていてもよい。この構成の洗浄機では、ネジ等の部品を用いなくとも、ノズルナットに対し抜止部を脱着可能とすることができる。
【００１１】
本発明の洗浄機では、洗浄ノズルにおける内空部は、ノズルヘッダから第二開口部を介して水が供給されており、抜止部の外縁部は、第二開口部側に屈曲していてもよい。この構成の洗浄機では、第二開口部側に屈曲された部分が、貫通方向に直交する方向に延在する内空部を遮ることになる。これにより、第二開口部側への屈曲量を調整することによって、ノズルヘッダからアーム部の内空部に供給される水の圧力を調整できるようになる。すなわち、洗浄ノズルにおける水の噴射圧力を容易に調整することができる。
【００１２】
本発明の洗浄機では、貫通方向において洗浄ノズルがノズルヘッダ側に移動して、第二開口部を形成する第二縁部がノズルヘッダに接触するときは、第一縁部が抜止部に接触するように、抜止部が配置されていてもよい。この構成の洗浄機では、貫通方向において洗浄ノズルがノズルヘッダ側に移動して、第二縁部がノズルヘッダに接触するときには、第一縁部も抜止部に接触するようになる。このため、洗浄ノズルがノズルヘッダに接触するときに作用する力が第一縁部と第二縁部とに分散される。この結果、第一縁部及び第二縁部における摩耗が両者に分散され、第一縁部及び第二縁部の耐久性を向上させることができる。
【００１３】
本発明の洗浄機では、貫通方向において洗浄ノズルがノズルヘッダ側に移動して、第一縁部が抜止部に接触するとき、第二開口部を形成する第二縁部がノズルヘッダに接触しないように、抜止部が配置されていてもよい。この構成の洗浄機では、貫通方向において洗浄ノズルがノズルヘッダ側に移動した場合であっても、第一縁部のみが抜止部に接触し、第二縁部は、どこにも接触しない。このため、第二縁部における接触摩耗がなくなり、メンテナンス等で部品を定期的に交換する箇所を第一縁部に限定することができる。
【発明の効果】
【００１４】
本発明によれば、メンテナンス性を維持しつつも、洗浄ノズル及び濯ぎノズルが誤った状態で組み付けられることを抑制できる。
【図面の簡単な説明】
【００１５】
【図１】一実施形態に係る食器洗浄機の斜視図である。
【図２】図１に示される上側配管ユニット及び上側ノズルユニットの斜視図である。
【図３】図２に示される上側配管ユニット及び上側ノズルユニットの断面図である。
【図４】図２に示される上側配管ユニット及び上側ノズルユニットの分解斜視図である。
【図５】図１に示される下側配管ユニット及び下側ノズルユニットの斜視図である。
【図６】図１に示される下側配管ユニット及び下側ノズルユニットの断面図である。
【図７】図１に示される下側配管ユニット及び下側ノズルユニットの分解斜視図である。
【図８】図８（Ａ）及び図８（Ｂ）のそれぞれは、変形例１に係る抜止部近傍の断面図である。
【図９】図９（Ａ）及び図９（Ｂ）のそれぞれは、変形例２に係る抜止部近傍の断面図である。
【図１０】変形例３に係る食器洗浄機の図６のＡ部における拡大断面図である。
【図１１】変形例４に係る食器洗浄機の図６のＡ部における拡大断面図である。
【発明を実施するための形態】
【００１６】
以下、図面を参照して一実施形態に係る食器洗浄機（洗浄機）について説明する。図面の説明において、同一要素には同一符号を付し、重複する説明を省略する。なお、説明の便宜のため、図１において、前後方向、左右方向、及び上下方向をそれぞれ設定した。
【００１７】
図１に示されるように、一実施形態に係る食器洗浄機１は、洗浄室３の前面にドア部５が設けられたアンダーカウンタ式の洗浄機である。食器洗浄機１は、ステンレス製のパネルで覆われた本体部２を有している。本体部２は、食器をセットしたラックを出し入れする開口部３Ｂが前方に向かって開口している洗浄室３と、図示しない洗浄水ポンプ及びブースターなどが設けられている機械室７と、に区画されている。本体部２の底面の四隅には、脚部９が取り付けられている。
【００１８】
洗浄室３内には、ラックレール３Ｃが配置されており、このラックレール３Ｃ上に、飲食後の皿や茶碗などの食器が並べられた格子状の食器ラックが載置される。図２〜図４に示されるように、洗浄室３の上部には、上側配管ユニット６Ａが固定されており、上側配管ユニット６Ａには上側ノズルユニット１１Ａが取り付けられている。同様に、図５〜図７に示されるように、洗浄室３の下部には、下側配管ユニット６Ｂが固定されており、下側配管ユニット６Ｂには下側ノズルユニット１１Ｂが取り付けられている。食器ラックに並べられた食器は、上側洗浄ノズル（洗浄ノズル）１２Ａ及び下側洗浄ノズル（洗浄ノズル）１２Ｂによって上下から洗浄水が噴射され、上側濯ぎノズル（濯ぎノズル）１３Ａ及び下側濯ぎノズル（濯ぎノズル）１３Ｂによって上下から濯ぎ水が噴射される。
【００１９】
図１に戻り、洗浄室３の底部３Ａには、機械室７内に突出するように洗浄水タンク１５が設けられている。洗浄水タンク１５には、洗浄水吸込口を介して洗浄水ポンプが接続されている。洗浄水ポンプの吐出口は、洗浄水吐出管を介して上側洗浄ノズル１２Ａ及び下側洗浄ノズル１２Ｂにそれぞれ接続されている。
【００２０】
機械室７内には、上側濯ぎノズル１３Ａ及び下側濯ぎノズル１３Ｂに濯ぎ水を供給するブースター（図示せず）が配置されている。ブースターの吐出口は、濯ぎ水吐出管を介して上側濯ぎノズル１３Ａ及び下側濯ぎノズル１３Ｂにそれぞれ接続されている。なお、ブースターは、機械室７の外に設けられてもよい。また、機械室７内には、食器洗浄機１の動作全般を制御するマイクロコンピュータ（図示せず）が内蔵された電装ボックス（図示せず）などが収容されている。
【００２１】
図２〜図４を参照して、上側配管ユニット６Ａ及び上側ノズルユニット１１Ａについて説明する。上側配管ユニット６Ａは、洗浄水及び濯ぎ水を供給する上側供給管２１と、上側供給管２１に接続された上側ノズルヘッダ（ノズルヘッダ）２２とを有する。上側ノズルユニット１１Ａは、上側ノズルヘッダ２２に回転自在に取り付けられた上側洗浄ノズル１２Ａと、上側洗浄ノズル１２Ａを挟み込むように上側ノズルヘッダ２２に取り付けられた上側ノズルナット４０と、上側ノズルナット４０に回転自在に取り付けられた上側濯ぎノズル１３Ａと、を有する。
【００２２】
上側供給管２１は、二重管であり、洗浄室３（図１参照）の天井部に沿って敷設されている。上側ノズルヘッダ２２は、台座部２３を有し、台座部２３は、上側供給管２１の内管２１ａに接続された内筒部２３ｂと、外管２１ｂに接続された外筒部２３ｃと、を有する。外筒部２３ｃの下部には、上側洗浄ノズル１２Ａを回転自在に支持するための環状の軸部２３ｄが設けられている。内筒部２３ｂは、軸部２３ｄに沿って延在しており、内周面の下部には、雌ネジが形成されている。
【００２３】
上側洗浄ノズル１２Ａは、上側ノズルヘッダ２２及び上側ノズルナット４０によって回転軸Ａｒを中心に回転自在に挟持される。上側洗浄ノズル１２Ａは、上側ノズルヘッダ２２及び上側ノズルナット４０によって挟持されるホルダ部３１と、ホルダ部３１から放射状に延在する複数（三本）のアーム部３３と、を有する。
【００２４】
ホルダ部３１の下部には円形の下部中央開口（第一開口部）３１ａが形成され、ホルダ部３１の上部には円形の上部中央開口（第二開口部）３１ｂが形成され、下部中央開口３１ａと上部中央開口３１ｂとの間を貫通する貫通部Ｓ１が形成されている。下部中央開口３１ａ及び上部中央開口３１ｂは、貫通方向（回転軸Ａｒ方向）から見た平面視において円形に形成されている。下部中央開口３１ａの内径は、上部中央開口３１ｂの内径よりも小さい。上側洗浄ノズル１２Ａにおける下部中央開口３１ａには、上側ノズルナット４０が装着され、上部中央開口３１ｂには、上側ノズルヘッダ２２が装着される。
【００２５】
下部中央開口３１ａを形成する縁には、シール性及び上側洗浄ノズル１２Ａの滑らかな回転を確保するための環状のカラー部材（第一縁部）３４ａが固定されている。カラー部材３４ａは、金属製のリング部材３８ａを介して後段にて詳述する上側ノズルナット４０の支持部４３に回転自在かつ摺動自在に支持されている。上部中央開口３１ｂを形成する縁にも同様のカラー部材（第二縁部）３４ｂが固定されている。カラー部材３４ｂは、金属製のリング部材３８ｂを介して上側ノズルヘッダ２２の軸部２３ｄに回転自在かつ摺動自在に支持されている。これらのカラー部材３４ａ，３４ｂは、耐熱性や耐摩耗性を考慮した樹脂によって形成されている。なお、金属製のリング部材３８ａ，３８ｂは、カラー部材３４ａ，３４ｂの摩耗を抑制するために設けられる。
【００２６】
アーム部３３は、回転軸Ａｒ方向に直交する方向に延在すると共に内空部Ｓ１１が形成されている。なお、内空部Ｓ１１には、貫通部Ｓ１を形成する領域も含まれる。アーム部３３は、水が噴射される噴射口３３ａが形成されている。
【００２７】
上側ノズルナット４０は、軸部としての螺合部４１と、誘導部４２と、支持部４３と、鍔部４４と、を有している。螺合部４１、誘導部４２、支持部４３、及び鍔部４４は、筒状に形成されており、その外径は、螺合部４１、誘導部４２、支持部４３、及び鍔部４４の順に大きくなる。螺合部４１、誘導部４２、支持部４３、及び鍔部４４からなる軸部は、上側ノズルヘッダ２２に螺合される上端４０ａから上側濯ぎノズル１３Ａが接続される下端４０ｂまで延在する。軸部は、上側ノズルヘッダ２２に螺合される上端４０ａから上側濯ぎノズル１３Ａが接続される下端４０ｂまで、後段にて詳述する上側濯ぎノズル１３Ａにおける内挿管７１を内挿する孔部４５が形成されている。
【００２８】
螺合部４１の外周面４１ａには、上側ノズルヘッダ２２の内筒部２３ｂに形成された雌ネジに螺合される雄ネジが形成されている。誘導部４２は、上側洗浄ノズル１２Ａの内空部Ｓ１１に臨む外周面４２ａを有し、後述する抜止部９１を着脱可能に支持する。誘導部４２は、上側供給管２１の外管２１ｂ及び上側ノズルヘッダ２２を通って供給された水を上側洗浄ノズル１２Ａのアーム部３３に向けて水平方向に誘導する。誘導部４２によって上側洗浄ノズル１２Ａのアーム部３３内に導かれた洗浄水は、アーム部３３の噴射口３３ａから噴射される。洗浄水の噴射によって推進力を得た上側洗浄ノズル１２Ａは回転する。
【００２９】
支持部４３は、下部中央開口３１ａを形成するカラー部材３４ａに対向する外周面４３ａを有し、当該カラー部材３４ａをリング部材３８ａを介して摺動可能に支持する。鍔部４４は、上側ノズルナット４０の下端４０ｂ側に形成されると共に、軸方向に直交（交差）する方向（径方向）に張り出している。鍔部４４は、上側洗浄ノズル１２Ａにおけるカラー部材３４ａを下方からリング部材３８ａを介して摺動可能に支持する。
【００３０】
上述したような螺合部４１、誘導部４２、支持部４３、及び鍔部４４からなる軸部が、上側洗浄ノズル１２Ａにおける下部中央開口３１ａから上部中央開口３１ｂに向かって挿入され、螺合部４１が上側ノズルヘッダ２２の内筒部２３ｂに螺合（接続）されることによって、上側洗浄ノズル１２Ａが上側ノズルヘッダ２２と上側ノズルナット４０との間に回転自在に挟持される。
【００３１】
上側濯ぎノズル１３Ａは、上側ノズルナット４０の孔部４５に挿入される内挿管７１と、内挿管７１に接続される本体部７２と、本体部７２から軸方向と直交する方向に延在する二本のアーム部７４，７４と、本体部７２を上側ノズルナット４０の下端（鍔部４４の下面）４０ｂとの間で挟み付けて回転自在に支持するネジ付キャップ７３と、有している。濯ぎ水は、上側供給管２１の内管２１ａ、内挿管７１、及び本体部７２を通ってアーム部７４，７４に供給される。濯ぎ水は、上側濯ぎノズル１３Ａにおけるアーム部７４の噴射口７４ａから噴射される。
【００３２】
抜止部９１は、下部中央開口３１ａと上部中央開口３１ｂとの間の内空部Ｓ１１（貫通部Ｓ１）に設けられ、回転軸Ａｒ方向から見た平面視において軸部から外側に向かって延在する円環状の部材である。抜止部９１は、ステンレススチール等の材料から形成される板状部材である。抜止部９１は、平面視において下部中央開口３１ａを形成するカラー部材３４ａの内縁よりも外側まで延在する。例えば、抜止部９１の外縁は、カラー部材３４ａの内縁よりも外側に２ｍｍ〜３ｍｍ程度飛び出している。すなわち、抜止部９１とカラー部材３４ａとの径方向における平面的な重なりは、２ｍｍ〜３ｍｍ程度である。これにより、上側洗浄ノズル１２Ａにおけるカラー部材３４ａの一部は、抜止部９１と鍔部４４との間に挟まれる。抜止部９１の外径は、下部中央開口３１ａの内径よりも大きく、上部中央開口３１ｂの内径よりも小さい。本実施形態では、抜止部９１は、挿通孔９１ａに挿通されるネジ９７によって上側ノズルナット４０における誘導部４２の外周面４２ａに固定される。すなわち、抜止部９１は、上側ノズルナット４０に対し、着脱可能に固定される。
【００３３】
次に、図５〜図７を参照して、下側配管ユニット６Ｂ及び下側ノズルユニット１１Ｂについて説明する。下側配管ユニット６Ｂは、洗浄水及び濯ぎ水を供給する下側供給管２５と、下側供給管２５に接続された下側ノズルヘッダ（ノズルヘッダ）２６とを有する。下側ノズルユニット１１Ｂは、下側ノズルヘッダ２６に回転自在に取り付けられた下側洗浄ノズル１２Ｂと、下側洗浄ノズル１２Ｂを挟み込むように下側ノズルヘッダ２６に取り付けられた下側ノズルナット８０と、下側ノズルナット８０に回転自在に取り付けられた下側濯ぎノズル１３Ｂと、を有している。
【００３４】
下側供給管２５は、二重管であり、洗浄室３（図１参照）の底部に沿って敷設されている。下側ノズルヘッダ２６は、環状の台座部２６ａと、下側洗浄ノズル１２Ｂを回転自在に支持する環状の軸部２６ｂと、支軸部２６ｃと、を有している。下側供給管２５の内管２５ａは、下側ノズルヘッダ２６の中央の孔を通り、軸部２６ｂより上方に突き出している。支軸部２６ｃは、内管２５ａに接続されており、その外周面には後段にて詳述する下側ノズルナット８０が螺合される雄ネジが形成されている。
【００３５】
下側洗浄ノズル１２Ｂは、下側ノズルヘッダ２６及び下側ノズルナット８０によって回転軸Ａｒを中心に回転自在に挟持される。下側洗浄ノズル１２Ｂは、下側ノズルヘッダ２６及び下側ノズルナット８０によって挟持されるホルダ部３６と、ホルダ部３６から放射状に延在する複数（三本）のアーム部３７と、を有する。
【００３６】
ホルダ部３６の上部には円形の上部中央開口（第一開口部）３６ａが形成され、ホルダ部３６の下部には円形の下部中央開口（第二開口部）３６ｂが形成され、上部中央開口３６ａと下部中央開口３６ｂとの間を貫通する貫通部Ｓ２が形成されている。上部中央開口３６ａ及び下部中央開口３６ｂは、貫通方向（回転軸Ａｒ方向）から見た平面視において円形に形成されている。上部中央開口３６ａの内径は、下部中央開口３６ｂの内径よりも小さい。下側洗浄ノズル１２Ｂにおける上部中央開口３６ａには、下側ノズルナット８０が装着され、下部中央開口３６ｂには、下側ノズルヘッダ２６が装着される。
【００３７】
上部中央開口３６ａを形成する縁には、シール性及び下側洗浄ノズル１２Ｂの滑らかな回転を確保するための環状のカラー部材（第一縁部）３９ａが固定されている。カラー部材３９ａは、金属製のリング部材３８ｃを介して後段にて詳述する下側ノズルナット８０に回転自在かつ摺動自在に支持されている。下部中央開口３６ｂを形成する縁にも同様のカラー部材（第二縁部）３９ｂが固定されている。カラー部材３９ｂは、金属製のリング部材３８ｄを介して下側ノズルヘッダ２６の軸部２６ｂに回転自在かつ摺動自在に支持されている。これらのカラー部材３９ａ，３９ｂは、耐熱性や耐摩耗性を考慮した樹脂によって形成されている。なお、金属製のリング部材３８ｃ，３８ｄは、カラー部材３９ａ，３９ｂの摩耗を抑制するために設けられる。
【００３８】
アーム部３７は、回転軸Ａｒ方向に直交する方向に延在すると共に内空部Ｓ２１が形成されている。なお、内空部Ｓ２１には、貫通部Ｓ２を形成する領域も含まれる。アーム部３７は、水が噴射される噴射口３７ａが形成されている。
【００３９】
下側ノズルナット８０は、軸部としての本体部８１と、鍔部８４と、を有している。本体部８１及び鍔部８４は、筒状に形成されており、その外径は、本体部８１よりも鍔部８４の方が大きい。本体部８１及び鍔部８４からなる軸部は、下側ノズルヘッダ２６に螺合される下端８０ａから下側濯ぎノズル１３Ｂが接続される上端８０ｂまで延在する。軸部は、下側ノズルヘッダ２６に螺合される下端８０ａから下側濯ぎノズル１３Ｂが接続される上端８０ｂまで、後段にて詳述する下側濯ぎノズル１３Ｂにおける内挿管７６を内挿する孔部８５が形成されている。
【００４０】
本体部８１は、下側ノズルヘッダ２６の支軸部２６ｃの雄ネジに螺合される雌ネジが形成されている内周面８１ａを有する。本体部８１は、後述する抜止部９２を着脱可能に支持すると共に、下側供給管２５の外管２５ｂ及び下側ノズルヘッダ２６を通って供給された水を下側洗浄ノズル１２Ｂのアーム部３７に向けて水平方向に誘導する周面８１ｂを有する。本体部８１の周面８１ｂによって下側洗浄ノズル１２Ｂのアーム部３７内に導かれた洗浄水は、アーム部３７の噴射口３７ａから噴射される。洗浄水の噴射によって推進力を得た下側洗浄ノズル１２Ｂは回転する。本体部８１は、上部中央開口３６ａを形成するカラー部材３９ａに対向する外周面８１ｃを有し、当該カラー部材３９ａをリング部材３８ｃを介して摺動可能に支持する。
【００４１】
鍔部８４は、下側ノズルナット８０の上端８０ｂ側に形成されると共に、軸方向に直交（交差）する方向（径方向）に張り出している。鍔部８４は、下側洗浄ノズル１２Ｂにおけるカラー部材３９ａを上方からリング部材３８ｃを介して摺動可能に支持する。
【００４２】
上述したような本体部８１及び鍔部８４からなる軸部が、下側洗浄ノズル１２Ｂにおける上部中央開口３６ａから下部中央開口３６ｂに向かって挿入され、本体部８１が下側ノズルヘッダ２６の支軸部２６ｃに螺合されることによって、下側洗浄ノズル１２Ｂが下側ノズルヘッダ２６と下側ノズルナット８０との間に回転自在に挟持される。
【００４３】
下側濯ぎノズル１３Ｂは、下側ノズルナット８０の孔部８５に挿入される内挿管７６と、内挿管７６に接続される本体部７７と、本体部７７から軸方向と直交する方向に延在する二本のアーム部７９，７９と、本体部７７を下側ノズルナット８０の上端（鍔部８４の上面）８０ｂとの間で挟み付けて回転自在に支持するネジ付キャップ７８と、有している。濯ぎ水は、下側供給管２５の内管２５ａ、内挿管７６、及び本体部７７を通ってアーム部７９に供給される。濯ぎ水は、下側濯ぎノズル１３Ｂにおけるアーム部７９の噴射口７９ａから噴射される。
【００４４】
抜止部９２は、上部中央開口３６ａと下部中央開口３６ｂとの間の内空部Ｓ２１（貫通部Ｓ２）に設けられ、回転軸Ａｒ方向から見た平面視において軸部から外側に向かって延在する円環状の部材である。抜止部９２は抜止部９１と同様に、ステンレススチール等の材料から形成される板状部材である。抜止部９２は、平面視において上部中央開口３６ａを形成するカラー部材３９ａの内縁よりも外側まで延在する。例えば、抜止部９２の外縁は、カラー部材３９ａの内縁よりも外側に２ｍｍ〜３ｍｍ程度飛び出している。すなわち、抜止部９２とカラー部材３９ａとの径方向における平面的な重なりは、２ｍｍ〜３ｍｍ程度である。これにより、下側洗浄ノズル１２Ｂにおけるカラー部材３９ａの一部は、抜止部９２と鍔部８４との間に挟まれる。抜止部９２の外径は、上部中央開口３６ａの内径よりも大きく、下部中央開口３６ｂの内径よりも小さい。本実施形態では、抜止部９２は、挿通孔９２ａに挿通されるネジ９９によって下側ノズルナット８０における本体部８１の周面８１ｂに固定される。すなわち、抜止部９２は、下側ノズルナット８０に対し、着脱可能に固定される。
【００４５】
次に、上側配管ユニット６Ａから上側ノズルユニット１１Ａを取り外して分解し、内部に詰まったゴミなどを清掃する際の作業手順について、図２〜図４を用いて説明する。
【００４６】
上側ノズルユニット１１Ａの上側洗浄ノズル１２Ａ及び上側濯ぎノズル１３Ａを上側ノズルヘッダ２２から取り外す際には、作業者は、例えば、上側ノズルナット４０の鍔部４４を把持し、鍔部４４を回転させる。これにより、上側濯ぎノズル１３Ａと、上側ノズルナット４０と、上側洗浄ノズル１２Ａとが一体となった上側ノズルユニット１１Ａが、上側ノズルヘッダ２２における内筒部２３ｂから取り外される。次に、ネジ付キャップ７３を取り外すことによって、ネジ付キャップ７３と上側ノズルナット４０の下端４０ｂ（鍔部４４の下面）との間で挟み付けて回転自在に支持されている上側濯ぎノズル１３Ａの本体部７２を上側ノズルナット４０から取り外す。これにより、上側濯ぎノズル１３Ａが上側ノズルナット４０から取り外される。
【００４７】
この状態において、上側洗浄ノズル１２Ａは、上側ノズルナット４０に抜止部９１によって一体的に固定されている。作業者が清掃等のために、上側洗浄ノズル１２Ａと上側ノズルナット４０とをばらばらに分解したい場合には、上側ノズルナット４０に固定された抜止部９１のネジ９７を取り外せばよい。これにより、上側洗浄ノズル１２Ａと上側ノズルナット４０とはそれぞれ別の部品に分解することができる。
【００４８】
このように、上側洗浄ノズル１２Ａ、上側ノズルナット４０及び上側ノズルヘッダ２２をそれぞればらばらに分解することによって、上側洗浄ノズル１２Ａにおける上部中央開口３１ｂ及び下部中央開口３１ａが露出し、上部中央開口３１ｂ及び下部中央開口３１ａを介して上側洗浄ノズル１２Ａの内部を簡単に清掃できる。同様に、上側ノズルナット４０の外周面４１ａ，４２ａ，４３ａも簡単に清掃できる。
【００４９】
次に、上側配管ユニット６Ａに上側ノズルユニット１１Ａを取り付ける作業について説明する。まず、作業者は、上側洗浄ノズル１２Ａを上側ノズルナット４０に固定することによってユニット化する。具体的には、上側ノズルナット４０に上側洗浄ノズル１２Ａを位置決めした後、抜止部９１をネジ９７で上側ノズルナット４０に固定することによって上側洗浄ノズル１２Ａを上側ノズルナット４０に固定する。次に、作業者は、上側ノズルナット４０に上側洗浄ノズル１２Ａが固定されたユニットを把持し、上側ノズルヘッダ２２の内筒部２３ｂに上側ノズルナット４０の螺合部４１を螺合させる。作業者は、鍔部４４を回転させることで、螺合部４１が上側ノズルヘッダ２２の内筒部２３ｂにおける内周面に形成された雌ネジに螺合され、鍔部４４と上側ノズルヘッダ２２の台座部２３との間で上側洗浄ノズル１２Ａを回転自在に挟み込む。
【００５０】
次に、上側濯ぎノズル１３Ａの本体部７２を、ネジ付キャップ７３によって上側ノズルナット４０の下端４０ｂ（鍔部４４の下面）との間で挟み付けて回転自在に支持する。これにより、上側配管ユニット６Ａに上側ノズルユニット１１Ａを取り付ける作業が完了する。
【００５１】
次に、下側配管ユニット６Ｂから下側ノズルユニット１１Ｂを取り外す作業も、上側配管ユニット６Ａから上側ノズルユニット１１Ａを取り外す手順と同様である、すなわち、図５〜図７に示されるように、まず、下側濯ぎノズル１３Ｂと、下側ノズルナット８０と、下側洗浄ノズル１２Ｂとが一体となった下側ノズルユニット１１Ｂが、下側ノズルヘッダ２６から取り外される。次に、下側濯ぎノズル１３Ｂが下側ノズルナット８０から取り外される。この状態において、下側洗浄ノズル１２Ｂは、下側ノズルナット８０に抜止部９２によって一体的に固定されている。下側ノズルナット８０に固定された抜止部９２のネジ９９が取り外されることによって、下側洗浄ノズル１２Ｂと下側ノズルナット８０とがばらばらに分解される。
【００５２】
下側配管ユニット６Ｂに下側ノズルユニット１１Ｂを取り付ける作業についても、上側配管ユニット６Ａに上側ノズルユニット１１Ａを取り付ける作業と同様に、まず、下側洗浄ノズル１２Ｂが下側ノズルナット８０に固定されることによってユニット化される。具体的には、下側ノズルナット８０に下側洗浄ノズル１２Ｂを位置決めした後、抜止部９２がネジ９９で下側ノズルナット８０に固定されることによって下側洗浄ノズル１２Ｂが下側ノズルナット８０に固定される。次に、下側ノズルナット８０に下側濯ぎノズル１３Ｂが取り付けられる。そして、下側濯ぎノズル１３Ｂと、下側ノズルナット８０と、下側洗浄ノズル１２Ｂとが一体となった下側ノズルユニット１１Ｂが、下側配管ユニット６Ｂに取り付けられる。
【００５３】
なお、上述では、上側洗浄ノズル１２Ａ、上側ノズルナット４０及び上側ノズルヘッダ２２をそれぞればらばらに分解して清掃する例を挙げて説明したが、この清掃の例は、サービスマン等が行う本格的なメンテナンス作業である。店舗等の従業員が行う通常の清掃は、上側ノズルヘッダ２２から上側ノズルユニット１１Ａを取り外すことにより実施され、上側濯ぎノズル１３Ａと、上側ノズルナット４０と、上側洗浄ノズル１２Ａとがそれぞれ別の部品に分解されることはない。下側ノズルユニット１１Ｂについても同様、店舗等の従業員が行う通常の清掃では、下側濯ぎノズル１３Ｂと、下側ノズルナット８０と、下側洗浄ノズル１２Ｂとがそれぞれ別の部品に分解されることはない。
【００５４】
次に、上記実施形態の食器洗浄機１の作用効果について説明する。上記実施形態の食器洗浄機１では、図３に示されるように、上側洗浄ノズル１２Ａの貫通部Ｓ１に、螺合部４１、誘導部４２、支持部４３、及び鍔部４４からなる軸部が内挿された上側ノズルナット４０から上側洗浄ノズル１２Ａが抜け出ることを規制する抜止部９１によって上側洗浄ノズル１２Ａと上側ノズルナット４０とが一体化されたユニットが構成される。食器洗浄機１から取り外された上側洗浄ノズル１２Ａ及び上側濯ぎノズル１３Ａを上側ノズルヘッダ２２に取り付けるときには、作業者は、上記ユニットに上側濯ぎノズル１３Ａを正しい向きに取り付けた後、これらを上側ノズルヘッダ２２に取り付ければよい。これにより、上側洗浄ノズル１２Ａ、上側ノズルナット４０、及び上側濯ぎノズル１３Ａを一つ一つ上側ノズルヘッダ２２に組み付けていく場合に比べ、上側洗浄ノズル１２Ａ及び上側濯ぎノズル１３Ａが誤った状態で組み付けられることを抑制できる。また、抜止部９１は上側ノズルナット４０に対して着脱可能に設けられているので、必要に応じて上側ノズルナット４０から抜止部９１を取り外せば、上側洗浄ノズル１２Ａと上側ノズルナット４０とを簡単に分離することができる。これにより、メンテナンス性も維持することができる。
【００５５】
同様に、上記実施形態の食器洗浄機１では、図６に示されるように、下側洗浄ノズル１２Ｂの貫通部Ｓ２に、本体部８１及び鍔部８４からなる軸部が内挿された下側ノズルナット８０から下側洗浄ノズル１２Ｂが抜け出ることを規制する抜止部９２によって下側洗浄ノズル１２Ｂと下側ノズルナット８０とが一体化されたユニットが構成される。食器洗浄機１から取り外された下側洗浄ノズル１２Ｂ及び下側濯ぎノズル１３Ｂを下側ノズルナット８０に取り付けるときには、作業者は、上記ユニットに下側濯ぎノズル１３Ｂを正しい向きに取り付けた後、これらを下側ノズルヘッダ２６に取り付ければよい。これにより、下側洗浄ノズル１２Ｂ、下側ノズルナット８０、及び下側濯ぎノズル１３Ｂを一つ一つ下側ノズルヘッダ２６に組み付けていく場合に比べ、下側洗浄ノズル１２Ｂ及び下側濯ぎノズル１３Ｂが誤った状態で組み付けられることを抑制できる。また、抜止部９２は下側ノズルナット８０に対して着脱可能に設けられているので、必要に応じて下側ノズルナット８０から抜止部９２を取り外せば、下側洗浄ノズル１２Ｂと下側ノズルナット８０とを簡単に分離することができる。これにより、メンテナンス性も維持することができる。
【００５６】
上記実施形態の食器洗浄機１では、抜止部９１（抜止部９２）は、上側洗浄ノズル１２Ａ（下側洗浄ノズル１２Ｂ）の内空部Ｓ１１（内空部Ｓ１２）に配置されるので、外部から抜止部９１（抜止部９２）を見ることができず、外観品位に優れる。
【００５７】
上記実施形態の食器洗浄機１では、抜止部９１（抜止部９２）は、上側ノズルナット４０（下側ノズルナット８０）に対してネジ９７（ネジ９９）で固定されるので、抜止部９１（抜止部９２）を上側ノズルナット４０（下側ノズルナット８０）に対し着脱可能にする構成を容易に実現することができる。
【００５８】
上記実施形態の食器洗浄機１では、抜止部９１（抜止部９２）は、回転軸Ａｒ方向から見た平面視において円環状に形成されている。これにより、抜止部９１（抜止部９２）が下部中央開口３１ａ（上部中央開口３６ａ）を形成するカラー部材３４ａ（カラー部材３９ａ）とリング部材３８ａ（リング部材３８ｃ）との間の摺動部分を全体的に覆うのでラビリンス効果が生まれ、上側ノズルヘッダ２２（下側ノズルヘッダ２６）から上側洗浄ノズル１２Ａ（下側洗浄ノズル１２Ｂ）に供給された水が漏れ出ること、残菜等のゴミが詰まることを抑制できる。更に、抜止部９１（抜止部９２）を上側ノズルナット４０（下側ノズルナット８０）の軸部に外挿する簡易な作業によって、抜止部９１（抜止部９２）を上側ノズルナット４０（下側ノズルナット８０）に対して位置決めできるので、組立作業性を向上させることができる。
【００５９】
上記実施形態の食器洗浄機１では、下部中央開口３１ａ及び上部中央開口３１ｂ（上部中央開口３６ａ及び下部中央開口３６ｂ）は、平面視において円形に形成されており、下部中央開口３１ａ（上部中央開口３６ａ）の内径は、上部中央開口３１ｂ（下部中央開口３６ｂ）の内径よりも小さく、抜止部９１（抜止部９２）の外径は、下部中央開口３１ａ（上部中央開口３６ａ）の内径よりも大きく、上部中央開口３１ｂ（下部中央開口３６ｂ）の内径よりも小さくなるように形成されている。これにより、上側ノズルナット４０（下側ノズルナット８０）の内空部Ｓ１１（内空部Ｓ２１）に容易に抜止部９１（抜止部９２）を配置できるので、組立作業性を向上させることができる。
【００６０】
以上、一実施形態について説明したが、本発明は、上記実施形態に限られるものではなく、発明の趣旨を逸脱しない範囲で種々の変形が可能である。
【００６１】
＜変形例１＞
上記実施形態の抜止部９１の形状に代えて、図８（Ａ）に示される形状の抜止部９１としてもよい。すなわち、変形例１に係る抜止部９１は、上部中央開口（第二開口部）３１ｂ側に屈曲する内縁部９１ｂによって筒部９１ｄが形成されており、筒部９１ｄの内周面９１ｅと上記内周面９１ｅに対向する誘導部（軸部）４２の外周面４２ａとは、互いに螺合可能に形成されている。変形例１に係る食器洗浄機１では、ネジ９７等の部品を用いなくとも、上側ノズルナット（ノズルナット）４０に対し抜止部９１を脱着可能とすることができる。なお、図８（Ａ）に示されるようなネジ９７を併用してもよい。
【００６２】
同様に、上記実施形態の抜止部９２の形状に代えて、図８（Ｂ）に示される形状の抜止部９２としてもよい。すなわち、変形例１に係る抜止部９２は、下部中央開口（第二開口部）３６ｂ側に屈曲する内縁部９２ｂによって筒部９２ｄが形成されており、筒部９２ｄの内周面９２ｅと上記内周面９２ｅに対向する本体部（軸部）８１の外周面８１ｄとは、互いに螺合可能に形成されている。変形例１に係る食器洗浄機１では、ネジ９９等の部品を用いなくとも、下側ノズルナット（ノズルナット）８０に対し抜止部９２を脱着可能とすることができる。なお、図８（Ｂ）に示されるようなネジ９９を併用してもよい。
【００６３】
＜変形例２＞
上記変形例１に係る抜止部９１の形状に代えて、図９（Ａ）に示される形状の抜止部９１としてもよい。すなわち、変形例２に係る抜止部９１は、上部中央開口（第二開口部）３１ｂ側に屈曲する外縁部９１ｃが形成されてもよい。変形例２に係る食器洗浄機１では、上部中央開口３１ｂ側に屈曲された部分が、回転軸Ａｒ方向に直交する方向に延在する内空部Ｓ１１における水の流れを遮ることになる。これにより、上部中央開口３１ｂ側への屈曲量を調整することによって、上側ノズルヘッダ２２からアーム部３３の内空部Ｓ１１に供給される水の圧力を調整できるようになる。すなわち、上側洗浄ノズル１２Ａにおける水の噴射圧力を容易に調整することができる。なお、この場合の抜止部９１は、上部中央開口３１ｂ側に屈曲する内縁部９１ｂによって筒部９１ｄが形成されてなくてもよい。
【００６４】
同様に、上記変形例１に係る抜止部９２の形状に代えて、図９（Ｂ）に示される形状の抜止部９２としてもよい。すなわち、変形例２に係る抜止部９２は、下部中央開口（第二開口部）３６ｂ側に屈曲する外縁部９２ｃが形成されてもよい。変形例２に係る食器洗浄機１では、下部中央開口３６ｂ側に屈曲された部分が、回転軸Ａｒ方向に直交する方向に延在する内空部Ｓ２１における水の流れを遮ることになる。これにより、下部中央開口３６ｂ側への屈曲量を調整することによって、下側ノズルヘッダ２６からアーム部３７の内空部Ｓ２１に供給される水の圧力を調整できるようになる。すなわち、下側洗浄ノズル１２Ｂにおける水の噴射圧力を容易に調整することができる。なお、この場合の抜止部９２は、下部中央開口３６ｂ側に屈曲する内縁部９２ｂによって筒部９２ｄが形成されてなくてもよい。
【００６５】
＜変形例３＞
抜止部９２は、図１０に示されるように、回転軸Ａｒ方向において下側洗浄ノズル１２Ｂが下側ノズルヘッダ２６側に移動して、下部中央開口３６ｂを形成するカラー部材３９ｂが下側ノズルヘッダ２６における台座部２６ａ（金属製のリング部材３８ｄ）に接触するときは、カラー部材３９ａが抜止部９２に接触するように、配置されてもよい。これにより、回転軸Ａｒ方向において下側洗浄ノズル１２Ｂが下側ノズルヘッダ２６側に移動して、カラー部材３９ｂが下側ノズルヘッダ２６に接触するときには、カラー部材３９ａも抜止部９２に接触するようになる。このため、下側洗浄ノズル１２Ｂに作用する力がカラー部材３９ａとカラー部材３９ｂとに分散されるようになる。この結果、カラー部材３９ａ及びカラー部材３９ｂにおける摩耗が両者に分散され耐久性を向上させることができる。
【００６６】
同様に、抜止部９１は、回転軸Ａｒ方向において上側洗浄ノズル１２Ａが上側ノズルヘッダ２２側に移動して、上部中央開口３１ｂを形成するカラー部材３４ｂが上側ノズルヘッダ２２における軸部２３ｄ（金属製のリング部材３８ｂ）に接触するときは、カラー部材３４ａが抜止部９１に接触するように、抜止部９１が配置されてもよい。これにより、下側洗浄ノズル１２Ｂと同様に、上側洗浄ノズル１２Ａに作用する力がカラー部材３４ａとカラー部材３４ｂとに分散されるようになる。この結果、カラー部材３４ａ及びカラー部材３４ｂにおける摩耗が両者に分散され耐久性を向上させることができる。
【００６７】
＜変形例４＞
抜止部９２は、図１１に示されるように、回転軸Ａｒ方向において下側洗浄ノズル１２Ｂが下側ノズルヘッダ２６側に移動して、上部中央開口３６ａを形成するカラー部材３９ａが抜止部９２に接触するとき、下部中央開口３６ｂを形成するカラー部材３９ｂが下側ノズルヘッダ２６における台座部２６ａ（金属製のリング部材３８ｄ）に接触しないように、配置されてもよい。これにより、貫通方向において下側洗浄ノズル１２Ｂが下側ノズルヘッダ２６側に移動した場合であっても、カラー部材３９ａのみが抜止部９２に接触し、カラー部材３９ｂは下側ノズルヘッダ２６に接触しない。このため、カラー部材３９ｂにおける接触摩耗がなくなり、メンテナンス等で部品を定期的に交換する箇所をカラー部材３９ａに限定することができる。
【００６８】
同様に、抜止部９１は、回転軸Ａｒ方向において上側洗浄ノズル１２Ａが上側ノズルヘッダ２２側に移動して、下部中央開口３１ａを形成するカラー部材３４ａが抜止部９１に接触するとき、上部中央開口３１ｂを形成するカラー部材３４ｂが上側ノズルヘッダ２２における軸部２３ｄ（金属製のリング部材３８ｃ）に接触しないように、配置されてもよい。これにより、貫通方向において上側洗浄ノズル１２Ａが上側ノズルヘッダ２２側に移動した場合であっても、カラー部材３４ａのみが抜止部９１に接触し、カラー部材３４ｂは上側ノズルヘッダ２２に接触しない。このため、カラー部材３４ｂにおける接触摩耗がなくなり、メンテナンス等で部品を定期的に交換する箇所をカラー部材３４ａに限定することができる。
【００６９】
＜その他の変形例＞
上記実施形態又は変形例に係る抜止部９１，９２は、平面視において環状に形成されている例を挙げて説明したが、螺合部４１、誘導部４２、支持部４３、及び鍔部４４からなる軸部（本体部８１及び鍔部８４からなる軸部）から外側に向かって延在する直線状の部材であってもよい。
【００７０】
上記実施形態又は変形例では、抜止部９１（抜止部９２）を上側ノズルナット４０（下側ノズルナット８０）に固定するに際し、ネジ９７（ネジ９９）又は、抜止部９１（抜止部９２）自身に形成されたネジ溝を上側ノズルナット４０（下側ノズルナット８０）に形成されたネジ溝に螺合させる例を挙げて説明したが、これに限定されない。例えば、抜止部９１（抜止部９２）と上側ノズルナット４０（下側ノズルナット８０）とが互いに嵌合可能に形成されてもよい。
【００７１】
本発明の洗浄機は、上記実施形態及び変形例のような、本体部２の前面側にドア部５が設けられたアンダーカウンタ式の食器洗浄機１だけでなく、ドア部が上下に開閉するタイプの食器洗浄機、食器を収容するためのラックを搬送しながら洗浄を行うコンベアタイプの食器洗浄機などにも適用することができる。
【００７２】
本発明は、上記実施形態及びその他の変形例を適宜組み合わせてもよい。
【符号の説明】
【００７３】
１…食器洗浄機（洗浄機）、１１Ａ…上側ノズルユニット、１１Ｂ…下側ノズルユニット、１２Ａ…上側洗浄ノズル（洗浄ノズル）、１２Ｂ…下側洗浄ノズル（洗浄ノズル）、１３Ａ…上側濯ぎノズル（濯ぎノズル）、１３Ｂ…下側濯ぎノズル（濯ぎノズル）、２２…上側ノズルヘッダ（ノズルヘッダ）、２６…下側ノズルヘッダ（ノズルヘッダ）、３１ａ…下部中央開口（第一開口部）３１ｂ…上部中央開口（第二開口部）、３３…アーム部、３４ａ…カラー部材（第一縁部）、３４ｂ…カラー部材（第二縁部）、３６ａ…上部中央開口（第一開口部）、３６ｂ…下部中央開口（第二開口部）、３７…アーム部、３９ａ…カラー部材（第一縁部）、３９ｂ…カラー部材（第二縁部）、４０…上側ノズルナット、７４…アーム部、７９…アーム部、８０…下側ノズルナット、９１…抜止部、９２…抜止部、９７…ネジ、９９…ネジ、Ｓ１…貫通部、Ｓ１１…内空部、Ｓ２…貫通部、Ｓ２１…内空部。
【図１】
2019080619.tif 000003
【図２】
2019080619.tif 000004
【図３】
2019080619.tif 000005
【図４】
2019080619.tif 000006
【図５】
2019080619.tif 000007
【図６】
2019080619.tif 000008
【図７】
2019080619.tif 000009
【図８】
2019080619.tif 000010
【図９】
2019080619.tif 000011
【図１０】
2019080619.tif 000012
【図１１】
2019080619.tif 000013